(57)【要約】【課題】  宗派や地域、慣習が違っても共通の部材で対応することができ、墓石等の設置後も仕様の変更が容易な墓石等における被取付物の取付構造を提供する。【解決手段】  線香立て１１、蝋燭立て１２、花立て２、リン３、水塔婆立て４、水鉢、香炉、線香置き台などの被取付物を墓石等に取り付けるための構造であって、前記墓石等に取り付けられることのある複数種類の前記被取付物の配置位置に合わせて、予め複数の取付部Ｂａ〜Ｂｇが形成されているとともに、前記被取付物には前記取付部に取り付けられる固定部材１１５，１２５，２２５，３２５，４２５が設けられ、前記取付部と前記固定部材は、前記複数種類の被取付物に対して共用できる構成とした。【選択図】  図１
2016069882.tif 000002
【特許請求の範囲】
【請求項１】
線香立て、蝋燭立て、花立て、水塔婆立て、リン、水鉢、香炉、線香置き台などの被取付物を墓石等に取り付けるための構造であって、
前記墓石等の基台に取り付けられることのある複数種類の前記被取付物の配置位置に合わせて、予め取付部が前記基台に位置決めして形成されているとともに、
前記被取付物には前記取付部に係合する固定部材が設けられ、
前記取付部と前記固定部材は、前記複数種類の被取付物に対して共用できるように構成されていること、
を特徴とする墓石等における被取付物の取付構造。
【請求項２】
前記取付部が螺旋孔で、前記固定部材がボルトであることを特徴とする請求項１に記載の被取付物の取付構造。
【請求項３】
前記被取付物が取り付けられない前記取付部には、化粧部材が着脱可能に取り付けられることを特徴とする請求項１又は２に記載の被取付物の取付構造。
【請求項４】
前記取付部の配置が、少なくとも三具足、四具足、五具足に対応したものを含むことを特徴とする請求項１〜３のいずれかに記載の被取付物の取付構造。
【請求項５】
前記固定部材が、前記被取付物に、前記取付部の位置に合わせて位置調整可能に設けられていることを特徴とする請求項１〜４のいずれかに記載の被取付物の取付構造。
【発明の詳細な説明】
【技術分野】
【０００１】
本発明は、線香立て、蝋燭立て、花立て、水塔婆立て、リン、水鉢、香炉、線香置き台等（以下、被取付物と記載する）を墓石、石碑、墓誌等（以下、墓石等と記載する）に取り付けるための取付構造に関する。
【背景技術】
【０００２】
墓石等に使用する線香立て、蝋燭立て、花立て、水塔婆立て、リン、水鉢、香炉、線香置き台等は、地域や慣習、宗旨宗派等によって異なる。例えば、花立て、線香立て、蝋燭立てから構成される具足については、花立て、線香立て、蝋燭立てを一つずつ供える三具足、花立てと蝋燭立てを対で供える五具足の他、四具足や七具足、八具足を供えるところもある。また、具足の他に、水塔婆立て、リン、水鉢、香炉等を供えることもある。
【０００３】
このように、被取付物は、宗旨宗派や地域、慣習の相違による仕様やデザインの相違、ユーザーの好み、墓石等に取り付けられる被取付物ごとの取付部や固定部材の相違により、これら被取付物を取り付けるための取付部の形状、大きさ及び取付構造が被取付物や墓石等によってまちまちで、専用の設計や専用の工具、専用の加工工程で対応しなければならないのが現状である。
【０００４】
そのため、墓石メーカーにおいては、地域や慣習、宗旨宗派等の相違に応じて専用に設計され製造された多種多様の仕様又はデザインの被取付物に合わせて、墓石等の取付部を専用に設計し加工する必要があった。
一方、ユーザーにおいても、既に設置された墓石等における被取付物の増設や仕様又はデザインを変更したいと希望する場合があるが、各々が専用に設計、製造され取付部も専用であるため、専門の業者に依頼し専用の工具を使って工事をしてもらわなければならず、費用が高く付くという問題がある。さらに、工事を行う業者においても、変更を行おうとする墓石等や被取付物に応じて専用の工具を準備しなければならない上、大型の専用機器が使えない現地での作業は負担が大きいほか、熟練を要する高度な手作業になるため、非熟練者が作業をすると墓石等に傷を付けるおそれがあるという問題がある。
【０００５】
なお、墓石等と一体構造の具足における設置自由度や組み合わせ自由度の制限を解消しようとする試みが、例えば特許文献１等でなされているが、この文献に記載の技術によっては上記の問題を解決することはできない。
【先行技術文献】
【特許文献】
【０００６】
【特許文献１】特開平１１−１４６８３１号公報
【発明の開示】
【発明が解決しようとする課題】
【０００７】
本発明は上記の問題点を解決するためになされたもので、被取付物が宗旨宗派や地域、慣習の相違やユーザーの好みなどによって多種多様になっても、メーカーにおいて墓石等及び被取付物ごとに取付部や取付構造を専用に設計、加工する必要を無くすことで負担を軽減してコスト削減を可能にするとともに、ユーザーが既存の墓石等における被取付物の仕様やデザインの変更を自身で簡単に行うことができる被取付物の取付構造の提供を目的とする。
【課題を解決するための手段】
【０００８】
上記の問題を解決するために、請求項１に記載の墓石等における被取付物の取付構造は、線香立て、蝋燭立て、花立て、水塔婆立て、リン、水鉢、香炉、線香置き台などの被取付物を墓石等に取り付けるための構造であって、前記墓石等の基台に取り付けられることのある複数種類の前記被取付物の配置位置に合わせて、予め取付部が前記基台に位置決めして形成されているとともに、前記被取付物には前記取付部に係合する固定部材が設けられ、前記取付部と前記固定部材は、前記複数種類の被取付物に対して共用できるように構成されている。
【０００９】
請求項２に記載するように、前記取付部を螺旋孔とし、前記固定部材をボルトとするとよい。
また、請求項３に記載するように、前記被取付物が取り付けられない前記取付部には、化粧部材を着脱可能に取り付けるとよい。
前記取付部の配置は、請求項４に記載するように、少なくとも三具足、四具足、五具足に対応したものを含むようにするとよい。
また、請求項５に記載するように、前記固定部材が前記被取付物に、前記取付部の位置に合わせて位置調整可能に設けられていてもよい。
【００１０】
本発明によれば、墓石等には被取付物を取り付けるための螺旋孔等の取付部が予め配置位置を決めて形成されていて、被取付物には前記螺旋孔等に螺入できるボルトが取り付けられているので、地域や慣習、宗旨宗派等の違いに応じて適宜に被取付物を組み合わせて取り付けることができる。また、墓石等を設置した後の仕様の変更も容易である。なお、使用しない取付部には、墓石等の外観を保つために化粧部材を取り付けるとよい。
さらに、前記固定部材を位置調整可能に設けることで、取付部の配置位置に合わせて前記被取付物に対する前記取付部材の位置を調整することが可能になる。
【発明の効果】
【００１１】
本発明によれば、種類や仕様、デザインの異なる被取付物で共通の取付部及び固定部材を設けているので、墓石等に対して取り付ける被取付物の種類や組み合わせを容易に変更することが可能である。この場合、変更前後の被取付物では共通の工具を用いることができ、かつ、ボルトと螺旋孔といった一般的な固定部材及びを選択することで専門の業者による工事が不要となり、ユーザーが自ら簡単に変更作業を行うことが可能なる。
このように本発明によれば、墓石等のメーカーにおいては、被取付物ごとに専用の設計、加工をする必要が無くなることから、加工工程の削減や作業負担を軽減してコスト削減を図ることができるほか、墓石等のユーザーにおいては、既存の墓石等における被取付物の仕様やデザインの変更を自身で簡単に行うことが可能になる。さらに、種々の仕様やデザインの被取付物を随時購入することで、ユーザーの好みや季節の変化、行事などに応じてユーザーが自分で仕様やデザインの異なる被取付物に自在に変更することが可能になる。
【発明を実施するための最良の形態】
【００１２】
以下、本発明の好適な一実施形態を、図面を参照しながら詳細に説明する。
図１は、墓石等の基台Ｂ及び基台Ｂに取り付けられる被取付物の一例を示す図である。
符号１は線香や蝋燭などの被点火物を収容するカバー付きの被点火物立て、符号１１，１２は被点火物立て１に収容して使用することも可能な線香立て及び蝋燭立て、符号２は花立て、符号３はリン（鈴）である。また、本発明は水塔婆立て４のような被取付物にも適用が可能である。
被取付物１、１１，１２、２，３，４の各々には、固定部材として径やピッチが同じであるボルト１１５，１２５，２２５，３２５、４２５が取り付けられている。ボルト１１５，１２５，２２５，３２５、４２５の各々は、被取付物１、１１，１２、２，３，４の各々に溶接や鑞付け等で一体に形成されていてもよいが、ナットを用いてこれらに固定するようにしてもよい。頭部にプラス溝又はマイナス溝が形成されたボルトや六角ボルトを用いることで、前記ナットを不要にできる。ナットやボルトは、ドライバーやスパナなどの市販工具で簡単に着脱することができる。
なお、被点火物立て１については、収容する線香立て１１又は蝋燭立て１２のボルト１１５，１２５が利用可能である。
【００１３】
基台Ｂには、各被取付物１、１１，１２、２，３，４の配置位置に合わせて、ボルト１１５，１２５，２２５，３２５、４２５が螺入できる螺旋孔Ｂａ，Ｂｂ，Ｂｃ，Ｂｄ，Ｂｅ，Ｂｆ，Ｂｇ・・・が形成されている。
図２は被取付物を基台Ｂに取り付ける一例にかかり、（ａ）は三具足の場合の取付例、（ｂ）は五具足の場合の取付例である。
【００１４】
（ａ）において、基台Ｂの螺旋孔Ｂｂを使って花立て２を取り付け、螺旋孔Ｂｄを使って線香立て１１を取り付け、螺旋孔Ｂｆを使って蝋燭立て１２を取り付けている。
なお、使用しない他の螺旋孔Ｂａ，Ｂｃ，Ｂｅ，Ｂｇには化粧部材５を着脱可能に取り付ける。
【００１５】
（ｂ）において、基台Ｂの螺旋孔Ｂｂ，Ｂｆを使って花立て２を取り付け、螺旋孔Ｂｃ，Ｂｅを使って蝋燭立て１２を取り付け、螺旋孔Ｂｄを使って線香立て１１を収容した被点火物立て１を取り付けている。
なお、使用しない他の螺旋孔Ｂａ，Ｂｇには化粧部材５を着脱可能に取り付ける。
【００１６】
図３は被取付物である水塔婆立て４を基台Ｂに取り付ける例を示す図である。
この例では、二つのボルト４２５，４２５の間隔に合うように形成された二つの螺旋孔Ｂｂ，Ｂｅを使って水塔婆立て４を取り付けている。使用しない他の螺旋孔Ｂａ，Ｂｃ，Ｂｄ，Ｂｆ，Ｂｇには化粧部材５を着脱可能に取り付ける。
なお、水塔婆立て４のように二つのボルト４２５，４２５を有する被取付物においては、長孔によってボルト４２５，４２５の位置を幅方向（図３の紙面左右方向）に調整自在とすることで、水塔婆立て４におけるボルト４２５，４２５の配置位置が精密でなくても、螺旋孔Ｂｂ，Ｂｅにボルト４２５，４２５を螺入することができる。
【００１７】
このように、本発明の取付構造では、墓石等の基台Ｂに取り付けられることのある複数種類の被取付物１、１１，１２、２，３，４の配置位置に合わせて、予め複数の螺旋孔Ｂａ，Ｂｂ，Ｂｃ，Ｂｄ，Ｂｅ，Ｂｆ，Ｂｇ・・・を形成し、被取付物１、１１，１２、２，３，４に螺旋孔Ｂａ，Ｂｂ，Ｂｃ，Ｂｄ，Ｂｅ，Ｂｆ，Ｂｇ・・・に螺入できるボルト１１５，１２５，２２５，３２５，４２５を取り付けることで、単独の被取付物の取り付けはもちろん、三具足、五具足の組み合わせの他、四具足や七具足、その他の被取付物の組み合わせなどの様々な組み合わせを自在に選択することができる。また、墓石等設置後の仕様の変更も容易である。
【００１８】
本発明の好適な実施形態を説明したが、本発明は上記の実施形態に限定されない。
例えば、上記の説明では固定部材としてボルトを例に挙げ、取付部として螺旋孔Ｂａ，Ｂｂ・・・を例に挙げているが、被取付物１，２，３，４，１１，１２を基台Ｂに着脱自在に固定することができるのであれば、ボルト及び螺旋孔に限らず、例えばバネの押圧力を利用したプッシュピンとこのプッシュピンを嵌入できる孔であってもよい。また、取付部をボルトとし、固定部材をナット又は螺旋孔としてもよい。
【図面の簡単な説明】
【００１９】
【図１】墓石等の基台Ｂ及び基台Ｂに取り付けられる被取付物の一例を示す図である。
【図２】被取付物を基台Ｂに取り付ける一例にかかり、（ａ）は三具足の場合の取付例、（ｂ）は五具足の場合の取付例である。
【図３】被取付物である水塔婆立て４を基台Ｂに取り付ける例を示す図である。
【符号の説明】
【００２０】
１      被点火物立て（被取付物）
１１５  ボルト（固定部材）
１２    蝋燭立て（被取付物）
１２２  ピン
１２５  ボルト（固定部材）
１４    台座
２      花立て（被取付物）
２２５  ボルト（固定部材）
３      リン（鈴）（被取付物）
３２５  ボルト（固定部材）
４      水塔婆立て（被取付物）
４２５  ボルト（固定部材）
５      化粧部材
Ｂ      基台
Ｂａ〜Ｂｇ    螺旋孔（取付部）
【図１】
2016069882.tif 000003
【図２】
2016069882.tif 000004
【図３】
2016069882.tif 000005